(57)【要約】包装体（１５’、１５”）を製造するための複合材料製の包装スリーブ（１０’、１０”）が図示および説明される。包装スリーブ（１０’、１０”）は、前面（５）と、裏面（６）と、２つの側面（３、４）と、これら２つの側面（３、４）、前面（５）、および裏面（６）の両側に配置された底面（８）およびゲーブル面（９）と、筒状の包装スリーブ（１０’、１０”）を形成するために複合材料の２つの端縁を接続する長手方向シーム（１１）とを備える。包装スリーブ（１０’、１０”）は、いくつかの折り目線（２、２’）を有する。２つの側面（３、４）は、何れの場合も、側面（３、４）を通る二次折り目線（１８）を有する。包装スリーブ（１０’、１０”）は、両二次折り目線（１８）に沿ってのみ折り曲げられる。複雑な形状を有する包装体の製造を可能にするために、包装スリーブ（１０’、１０”）は、底面（８）の領域およびゲーブル面（９）の領域の両方において開口している。更に、このような包装スリーブ（１０’、１０”）から製作された包装体（１５’、１５”）、ならびにこのような包装スリーブ（１０’、１０”）から包装体（１５’、１５”）を製造する方法、が図示および説明される。【選択図】図２Ｂ
2019510702.tif 000002
【特許請求の範囲】
【請求項１】
包装体（１５’、１５”）を製造するための複合材料製の包装スリーブ（１０’、１０”）であって、
−  前面（５）と、
−  裏面（６）と、
−  ２つの側面（３、４）と、
−  前記２つの側面（３、４）、前記前面（５）、および前記裏面（６）の両側に配置された底面（８）およびゲーブル面（９）と、
−  筒状の包装スリーブ（１０’、１０”）を形成するために前記複合材料の２つの端縁を接続する長手方向シーム（１１）と、
を備え、
−  前記包装スリーブ（１０’、１０”）は、いくつかの折り目線（２、２’）を有し、
−  前記２つの側面（３、４）は、何れの場合も、前記側面（３、４）を通る二次折り目線（１８）を有し、
−  前記包装スリーブ（１０’、１０”）は両二次折り目線（１８）に沿ってのみ折り曲げられる、
包装スリーブ（１０’、１０”）において、
前記包装スリーブ（１０’、１０”）は、前記底面（８）の領域および前記ゲーブル面（９）の領域の両方において開口している、
ことを特徴とする包装スリーブ（１０’、１０”）。
【請求項２】
前記折り目線（２、２’）の少なくとも一つは、少なくとも部分的に、直線状に延びず、特に湾曲または屈折していることを特徴とする、請求項１に記載の包装スリーブ（１０’、１０”）。
【請求項３】
前記折り目線（２、２’）は交差せず、０．１ｍｍと２．０ｍｍの間の範囲内の最小距離を相互間に維持することを特徴とする、請求項１または２に記載の包装スリーブ（１０’、１０”）。
【請求項４】
前記底面（８）は前記包装体の頂点（Ｅ８）を含み、前記ゲーブル面（９）は前記包装体の頂点（Ｅ９）を含み、前記底面（８）の少なくとも１つの頂点（Ｅ８）とこれに対応付けられた前記ゲーブル面（９）の頂点（Ｅ９）との間に連続した直線状の折り目線（２、２’）が設けられないことを特徴とする、請求項１〜３の何れか一項に記載の包装スリーブ（１０’、１０”）。
【請求項５】
前記包装スリーブ（１０’、１０”）は両二次折り目線（１８）に沿って何れの場合も約１８０°の角度で扁平に折り畳まれることを特徴とする、請求項１〜４の何れか一項に記載の包装スリーブ（１０’、１０”）。
【請求項６】
前記２つの二次折り目線（１８）は互いに平行に延びることを特徴とする、請求項１〜５の何れか一項に記載の包装スリーブ（１０’、１０”）。
【請求項７】
前記２つの側面（３、４）、前記前面（５）、および前記裏面（６）は折り目線（２、２’）によって限られることを特徴とする、請求項１〜６の何れか一項に記載の包装スリーブ（１０’、１０”）。
【請求項８】
前記２つの側面（３、４）、前記前面（５）、および前記裏面（６）から成る群のうちの２つの隣接する面（３、４、５、６）の間に配置される少なくとも１つの自由曲面（１７）を特徴とする、請求項１〜７の何れか一項に記載の包装スリーブ（１０’、１０”）。
【請求項９】
前記少なくとも１つの自由曲面（１７）は折り目線（２、２’）によって限られることを特徴とする、請求項８に記載の包装スリーブ（１０’、１０”）。
【請求項１０】
前記裏面（６）に隣接する前記ゲーブル面（９）は、前記前面（５）に隣接する前記ゲーブル面（９）の長さ（Ｌ９ｍａｘ）より短い長さ（Ｌ９ｍｉｎ）を有することを特徴とする、請求項１〜９の何れか一項に記載の包装スリーブ（１０’、１０”）。
【請求項１１】
前記底面（８）および前記ゲーブル面（９）は、何れの場合も、２つの矩形面（１２）と６つの三角面（１３）とを備えることを特徴とする、請求項１〜１０の何れか一項に記載の包装スリーブ（１０’、１０”）。
【請求項１２】
前記二次折り目線（１８）は、前記底面（８）の３つの隣接する三角面（１３）の接点（ＳＢ）と前記ゲーブル面（９）の３つの隣接する三角面（１３）の接点（ＳＧ）とを通ることを特徴とする、請求項１１に記載の包装スリーブ（１０’、１０”）。
【請求項１３】
前記折り目線（２、２’）および／または前記二次折り目線（１８）は、前記包装スリーブ（１０’、１０”）の内側から外側へ、および／または前記包装スリーブ（１０’、１０”）の外側から内側へ、筋押しされることを特徴とする、請求項１〜１２の何れか一項に記載の包装スリーブ（１０’、１０”）。
【請求項１４】
前記包装スリーブ（１０’、１０”）の前記複合材料は、１５０ｇ／ｍ２と４００ｇ／ｍ２の間、特に２００ｇ／ｍ２と２５０ｇ／ｍ２の間、の範囲内の重量を有することを特徴とする、請求項１〜１３の何れか一項に記載の包装スリーブ（１０’、１０”）。
【請求項１５】
前記長手方向シーム（１１）は、前記裏面（６）の２つの部分面域（６Ａ、６Ｂ）を互いに接続することを特徴とする、請求項１〜１４の何れか一項に記載の包装スリーブ（１０’、１０”）。
【請求項１６】
前記複合材料は、前記包装スリーブ（１０’、１０”）内に延びる前記長手方向シーム（１１）の前記端縁上で覆われる紙または板紙の層を少なくとも１つ含むことを特徴とする、請求項１〜１５の何れか一項に記載の包装スリーブ（１０’、１０”）。
【請求項１７】
前記紙または板紙の層は、封帯によって、および／または前記複合材料を前記長手方向シーム（１１）の前記領域において裏返すことによって、覆われることを特徴とする、請求項１６に記載の包装スリーブ（１０’、１０”）。
【請求項１８】
前記複合材料は、前記長手方向シーム（１１）の前記領域において剥離されることを特徴とする、請求項１〜１７の何れか一項に記載の包装スリーブ（１０’、１０”）。
【請求項１９】
注ぎ口要素（１９）を固定するための、前記ゲーブル面（９）のうちの１つに設けられた材料弱体化部、特に被膜付きの穴、を特徴とする、請求項１〜１８の何れか一項に記載の包装スリーブ（１０’、１０”）。
【請求項２０】
複合材料製の包装体（１５’、１５”）であって、
−  前記包装体（１０’、１０”）は折り目線（２、２’）に沿って折り曲げられ、
−  前記包装体（１５’、１５”）は底面（８）の領域およびゲーブル面（９）の領域において封着され、
−  二次折り目線（１８）に隣接する両側面（３、４）の部分面域（３Ａ、３Ｂ、４Ａ、４Ｂ）が何れの場合も互いに対して１６０°と２００°の間、特に１７０°と１９０°の間、の角度範囲内に配置される、
包装体（１５’、１５”）において、
前記包装体（１５’、１５”）は、請求項１〜１９の何れか一項に記載の包装スリーブ（１０’、１０”）から製造されることを特徴とする、包装体（１５’、１５”）。
【請求項２１】
前記前面（５）および前記裏面（６）は、互いにほぼ平行な平面に配置されることを特徴とする、請求項２０に記載の包装体（１５’、１５”）。
【請求項２２】
前記２つの側面（３、４）は、互いにほぼ平行な平面に配置されることを特徴とする、請求項２０または２１に記載の包装体（１５’、１５”）。
【請求項２３】
前記包装体（１５’、１５”）の下方領域において前記底面（８）に押し付けられる耳部（１４）を特徴とする、請求項２０〜２２の何れか一項に記載の包装体（１５’、１５”）。
【請求項２４】
前記包装体（１５’、１５”）の上方領域において前記側面（３、４）に押し付けられる耳部（１４）を特徴とする、請求項２０〜２３の何れか一項に記載の包装体（１５’、１５”）。
【請求項２５】
複合材料製の包装スリーブ（１０’、１０”）から包装体（１５’、１５”）を製造する方法であって、
ａ）請求項１〜１９の何れか一項に記載の包装スリーブ（１０’、１０”）を供給するステップと、
ｂ）側面（３、４）、前面（５）、および裏面（６）の間の折り目線（２’）に沿って前記包装スリーブ（１０’、１０”）を展開するステップと、
ｃ）前記包装スリーブ（１０’、１０”）の前記２つの側面（３、４）を２つの二次折り目線（１８）に沿って折り返すステップと、
ｄ）前記包装スリーブ（１０’、１０”）を底面（８）の領域において封着するステップと、
を含む方法において、
ステップｄ）は、ステップｂ）およびステップｃ）の両方の後に実施されることを特徴とする、方法。
【請求項２６】
前記ステップｂ）およびステップｃ）は同時に実施されることを特徴とする、請求項２５に記載の方法。
【請求項２７】
折り返された後、前記二次折り目線（１８）に隣接する前記包装体（１５、１５’）の側面（３、４）の部分面域（３Ａ、３Ｂ、４Ａ、４Ｂ）は、何れの場合も、互いに対して１６０°と２００°の間、特に１７０°と１９０°の間、の角度範囲内にあることを特徴とする、請求項２５または２６に記載の方法。
【発明の詳細な説明】
【技術分野】
【０００１】
本発明は、包装体を製造するための複合材料製の包装スリーブであって、前面と、裏面と、２つの側面と、これら２つの側面、前面、および裏面の両側に配置された底面およびゲーブル面と、筒状の包装スリーブを形成するために複合材料の２つの端縁を接続する長手方向シームとを備えた包装スリーブに関する。本包装スリーブはいくつかの折り目線を有し、２つの側面は何れの場合も側面を通る二次折り目線を有する。本包装スリーブは、両二次折り目線に沿ってのみ折り曲げられる。
【０００２】
本発明は、複合材料製の包装体に更に関する。本包装体は、折り目線に沿って折り曲げられる。本包装体は、底面の領域およびゲーブル面の領域において封着され、二次折り目線に隣接する両側面の部分面域は何れの場合も互いに対して１６０°と２００°の間、特に１７０°と１９０°の間、の角度範囲内に配置される。
【０００３】
最後に、本発明は、複合材料製の包装スリーブから包装体を製造する方法に関する。
【背景技術】
【０００４】
包装体は、さまざまな方法で極めて広範囲の材料から製造され得る。包装体の製造のために広く使用されている可能性があるのは、包装体材料からスリーブブランクを製作し、このスリーブブランクから、折り曲げおよび更なる工程によって、最初に包装スリーブを製作し、最後に包装体を製作するという方法である。この製造方法は、とりわけ、スリーブブランクおよび包装スリーブが極めて扁平であるので、省スペースで積み重ねられるという利点を有する。これにより、スリーブブランクまたは包装スリーブの製造は、包装スリーブの折り曲げおよび充填が行われる場所とは異なる場所で行える。多くの場合、材料として複合材料、例えば、紙、板紙、プラスチック、または金属、特にアルミニウム、のいくつかの薄層から成る複合材料、が使用されている。このような包装体は、特に食品業界において広く使用されている。
【０００５】
第１の製造工程は、多くの場合、折り曲げとシームの溶着または接着接合とによってスリーブブランクから筒状の包装スリーブを製作することを含む。スリーブブランクの折り曲げは、通常、事前に筋押し（独：gepraegten，英：stamped）された折り目線に沿って行われる。これにより、各折り目線の位置は、包装スリーブから製作される包装体の端縁の位置に相当する。これは、スリーブブランクおよび包装スリーブが、何れの場合も、完成した包装体が折り曲げられる箇所においてのみ折り曲げられるという利点を有する。本出願明細書の文脈において、スリーブブランクとは、ロール上に製造されて長手方向および横方向に所定寸法に切断された規定の輪郭を有する複合材料製品から製造されたシート（「平面状の複合材料」）を指す。その後、このシートまたは平面状の複合材料から包装スリーブが製造され、販売用に仕上げられる。包装スリーブは、おそらく製造場所から使用場所への輸送のために設けられた外装箱からの取り出しの後で、この目的のための充填機における加工のための準備が完了している場合は、販売の準備が完了していると見做される。これは、特に、この包装スリーブが、この目的のための充填機上での包装スリーブの円滑な加工を保証するために、更なる機械的介入を必要としないことを意味する。これに対して、外気への調整および／または（追加の）滅菌（例えば本出願人の端縁滅菌方法（独：Kantensterilisationsverfahren，英：edge sterilisation method））も、必要に応じて、完成した包装スリーブに対して、目的の使用場所への輸送中またはその後に、実施可能である。他方、スリーブブランクからの包装スリーブの製造中に発生する、成形および封着を含む、中間工程は、包装スリーブに関するものとして未だ説明できていない。包装スリーブから包装体を製造する一方法は、例えば特許文献１（特に、図１Ａ〜図１Ｅ）から公知である。そこに記載されている包装体は、矩形の断面形状を有し、略直方体の形状である。
【０００６】
断面形状が矩形の包装体に加え、角の数が４つを超える断面形状の包装体も公知である。例えば、断面形状が八角形の包装体が特許文献２または特許文献３から公知である。これら包装体の形態は、スリーブブランクに追加の折り目線が設けられることで実現される。
【０００７】
ただし、記載されている包装スリーブの折り曲げをその後の包装体の端縁に沿って行った場合の１つの欠点は、角張った断面形状の包装体しか製造できないことである。更に、包装体の鉛直方向に沿って断面形状が同じままの包装体しか製造できない。これに対して、代替の設計、例えば丸みを帯びた端縁、または端縁の代わりの自由形状、は不可能である。
【０００８】
包装スリーブ（「スリーブ」）およびこれらから製造される包装体（「容器」）が特許文献４から公知である。ここに記載されている包装スリーブは、その断面形状が鉛直方向に変化する包装体の製造を可能にする（ゲーブル面および底面の断面形状は矩形、その間の断面形状は八角形）。ただし、この包装体も角張った断面形状のみを有する。特許文献４にも、代替の設計、例えば、丸みを帯びた端縁または端縁の代わりの自由形状、は記載されていない。更に、そこに記載されている包装スリーブは、複合材料製ではなく、板紙または段ボール製である。この容器に液体を充填するために、プラスチック製の内袋が示唆されている。したがって、この包装スリーブ自体は、液密の包装体の製造に適している必要はない。
【０００９】
包装スリーブとこれらから製造された包装体が特許文献５にも記載されている。ここでは、板紙製の長い材料帯体に最初に複数の折り目線が設けられ、次にプラスチック層で覆われる（図６）。長手方向シーム（図７）の形成後、断面が矩形の筒体を形成するために、材料帯体は開かれる（図８）。次に、筒体の２つの側面が内側に折り曲げられる。その結果として、筒体は扁平な形態を呈する（図９）。横向きのシームが特定の間隔で複数作成され、そこに沿って筒体が折り畳まれてスタックが形成され得る（図１０）。横向きシームの領域において筒体を分離することによって、一端で既に封着されている個々の包装スリーブが横向きシームによって得られる。このアプローチの１つの欠点は、各包装スリーブは、筒体からの包装スリーブの分離時に、６つの折り目線に沿って既に折り曲げられており、これら折り目線のうちの４つがその後の包装体の端縁を形成することである。したがって、これら包装スリーブも断面形状が矩形の包装体の製造にのみ適している。更に、既に封着されている横方向シームの領域に形成されるゲーブル面または底面の設計自由度が厳しく制限される。特に不都合であるのは、包装スリーブを開いて一端が開口した包装体に形成するために必要な大きな成形力である（この中間状態は、「ビーカ（独：Becher，英：beaker）」とも記述される）。この大きな成形力は既に封着されているシームにかなりの負荷をかけるので、液密性および／または気密性がもはや十分確実にはもたらされない。
【００１０】
更なる包装スリーブおよびこれから製造される包装体が特許文献６に記載されている。ただし、この包装スリーブにおいても、多数の折り目線がスリーブ表面の領域に設けられており、これらの一部はこの包装スリーブから製作される包装体のその後の端縁を形成する。したがって、これら包装スリーブも角張った断面形状を有する包装体の製造にのみ適している。別の欠点は、この包装スリーブは裏側の領域において長手方向シームによって封着されるばかりでなく、底部の領域においても横方向シームによって既に封着されている点である。これにより、底部の設計自由度が制限される。ここでも、包装スリーブを開いて一端が開口した包装体を形成するために必要な大きな成形力は特に不都合である。この大きな成形力は既に封着されているシームにかなりの負荷をかけるので、液密性および／または気密性がもはや十分確実にはもたらされない。更に不都合であるのは、底部の唯一の変形例（底部の下に折り込まれた耳部）が可能である一方で、底部の異なる変形例（底面の上方で内側に向けられた耳部）が不可能であるという点である。
【先行技術文献】
【特許文献】
【００１１】
【特許文献１】国際公開第２０１５／００３８５２（Ａ９）号
【特許文献２】欧州特許第０  ９３６  １５０（Ｂ１）号
【特許文献３】米国特許第６，０４２，５２７号
【特許文献４】欧州特許出願公開第０  ０２７  ３５０（Ａ１）号
【特許文献５】英国特許出願公開第８０８，２２３（Ａ）号
【特許文献６】国際公開第９７／３２７８７（Ａ２）号
【発明の概要】
【課題を解決するための手段】
【００１２】
この背景に対して、本発明は、複雑な形状を有する包装体、特に液密の包装体、の製造が可能になるように、上で記述し詳細に説明した包装スリーブを開発するという課題に基づく。
【００１３】
この課題は、請求項１の前提部分による包装スリーブにおいて、この包装スリーブが底面の領域およびゲーブル面の領域の両方において開口することで、解決される。
【００１４】
本発明による包装スリーブは、複合材料から成り、包装体を製造するために使用される。特に、この包装スリーブは、紙、板紙、プラスチック、または金属、特にアルミニウム、のいくつかの薄層から成る複合体で構成され得る。この包装スリーブは単一部品として形成されることが好ましい。この包装スリーブは、前面、裏面、および２つの側面、ならびにこれら２つの側面、前面、および裏面の両側に配置された底面およびゲーブル面を備える。立位状態の包装体において、ゲーブル面は２つの側面、前面、および裏面の上方に配置され、底面は２つの側面、前面、および裏面の下に配置されることが好ましい。これら表面の指定は、この包装スリーブから製造される包装体の各表面に基づいている。この包装スリーブは、筒状の包装スリーブを形成するために複合材料の２つの端縁を接合する長手方向シームも備える。この長手方向シームは、周方向に閉じた一続きの包装スリーブを扁平な、大半の場合は矩形の、ブランクから製造することを可能にする。この長手方向シームは、例えば、接着接合および／または溶着によって製作され得る。この長手方向シームのため、このような包装スリーブは、長手方向に封着された包装スリーブとも称される。この包装スリーブは、いくつかの折り目線も有する。折り目線の目的は、包装スリーブの折り曲げを容易にし、包装スリーブをいくつかの表面に分割することである。折り目線は、材料弱体化部によって形成され得る。包装体は液密であることが期待されるので、使用される材料弱体化部はミシン目ではなく、所謂「クリース」である。クリースは、押圧工具によって複合材料に筋押しされた直線状の材料変位部である。
【００１５】
側面を通る二次折り目線が２つの側面の各々に設けられ、包装スリーブは両二次折り目線に沿ってのみ折り曲げられる。この設計は、包装スリーブから製作された包装体の各端縁を形成する折り目線に沿って包装スリーブを折り曲げないという着想に基づく。すなわち、包装スリーブは、前面、裏面、および２つの側面を互いに分割する折り目線に沿って折り曲げられない。代わりに、この包装スリーブは、付加的に設けられた折り目線（「二次折り目線」）に沿ってのみ折り曲げられる。この折り目線は、後で包装体の端縁を形成せず、包装体の端縁間に（この場合は側面に）配置される。したがって、二次折り目線に沿った折り曲げは、包装スリーブの場合にのみ行われるが、包装スリーブから製作される包装体の場合行われない。これは、包装体形状の自由な設計を可能にし、特に鉛直方向の包装体断面が、少なくとも部分的に、角張っていない包装体の製造を可能にする。
【００１６】
本発明によると、包装スリーブは、底面の領域ならびにゲーブル面の領域の両方において開口する。換言すると、包装スリーブは、２つの開口部を有する。一方の開口部は底面の領域に配置され、もう一方の開口部はゲーブル面の領域に配置される。対向する２つの開口部により、包装スリーブを特に簡単に開いて、筒体またはスリーブを作成できる。例えば特許文献６とは異なり、両端が開口している包装スリーブの１つの利点は、底部の可変設計の可能性にある。特に、「耳部」の向きを自由に選択できる。底部の一変形例は、例えば、耳部を底部の矩形面の下に折り曲げ、そこの所定位置に固定できる。これに対し、底部の別の変形例は、内向きの耳部を有し得る。これら耳部は底部の矩形面の上方に配置され、後で折り曲げられる。両端で開口している包装スリーブの別の利点は、細菌を減らすために、両端が開口している包装スリーブを通して、滅菌媒体、例えばＨ２Ｏ２含有ガス状混合物、を好ましくは層流として容易に移送できるので、その内面の滅菌をより容易に行えることである。
【００１７】
包装スリーブの１つの実施形態によると、折り目線の少なくとも１つは、少なくとも部分的に、直線状に延びず、特に湾曲または屈折している。この設計は、底面をゲーブル面に接続する、すなわち、包装スリーブの前面、裏面、または側面を通る、折り目線に特に関し得る。これは、折り目線の少なくとも１つが連続して非直線状であり、特に連続して湾曲している場合であり得る。更に、これは、単一の折り目線ではなく、底面をゲーブル面に接続する全ての折り目線が、少なくとも部分的に、直線状に延びず、特に湾曲または屈折している場合であり得る。
【００１８】
包装スリーブの別の実施形態によると、これら折り目線は交差せず、０．１ｍｍと２．０ｍｍの間の範囲内の最小距離を相互間に維持する。換言すると、これら折り目線は互いに接近するが、真の交点を形成しない。互いに接近する２つの折り目線の交差は、例えば、これら折り目線の少なくとも一方が実際の交点の領域において中断されることで防止され得る。この設計は、交差する折り目線は包装スリーブにかかる特に大きな応力を表し、折り曲げ中に包装スリーブの損傷を引き起こし得るという見解に基づく。これにより、漏れ易い包装体になり得る。折り目線間に「安全距離」を維持することによって、これら応力を低減できる。
【００１９】
包装スリーブの別の実施形態によると、底面は包装体の頂点を複数含み、ゲーブル面は包装体の頂点を複数含み、底面の少なくとも１つの頂点とゲーブル面の対応する頂点との間に連続した直線状の折り目線が設けられない。これら頂点の指定は、この包装スリーブから製作される包装体の各頂点に基づいている。これら頂点は、例えば、底面またはゲーブル面とこれに隣接する「スリーブ表面」（すなわち、前面、裏面、または側面）との間の折り目線上に位置し得る。これら頂点は、底面またはゲーブル面の三角面と矩形面との間の折り目線上にも位置し得る。底面の各頂点は、ゲーブル面の対応する頂点に対応付けられる。これは、包装体が立位状態のときに前記頂点の上方に配置される頂点である。対応付けられた２つの頂点を角軸線が通る。この角軸線は、従来の直方体形の包装体では、包装体の鉛直端縁に相当することになる。この実施形態によると、対応付けられた少なくとも１対の頂点の間に、すなわち少なくとも１つの角軸線上に、連続した直線状の折り目線が配置されない。対応付けられた頂点のいくつかの、または全ての、対の間に、すなわち、いくつかの、または全ての、角軸線上に、連続した直線状の折り目線が配置されないことが好ましい。更に、これは、対応付けられた少なくとも１対の頂点の間に、すなわち、少なくとも１つの角軸線上に、折り目線が配置されない場合であり得る。最後に、これは、対応付けられた頂点のいくつかの、または全ての、対の間に、すなわち、いくつかの、または全ての、角軸線上に、折り目線が全く配置されない場合であり得る。すなわち、可能であれば、直線状の折り目線、または連続した直線状の折り目線、が角軸線上に配置されない。これら実施形態は、包装体の角張った端縁を回避し、より複雑な形状を有する設計を可能にする。
【００２０】
包装スリーブの１つの実施形態によると、包装スリーブは、両二次折り目線に沿って、何れの場合も、約１８０°の角度で扁平に折り畳まれる。約１８０°の角度でのこの折り曲げは、特に扁平な包装スリーブを可能にする。これは、複数の包装スリーブの積み重ねを省スペースで可能にし、例えば輸送を容易にする。これにより、包装スリーブの製造は、包装体の充填および製造が行われる場所とは異なる場所で行われ得る。包装スリーブは、両二次折り目線に沿って外方に折り曲げられることが好ましい。これにより、包装スリーブ同士を特に近接させて積み重ねることができる。
【００２１】
包装スリーブの別の実施形態によると、２つの二次折り目線は互いに平行に延びる。２つの二次折り目線は直線であり、互いに平行に延びることが好ましい。この平行配置は、二次折り目線を複合材料に特に簡単に筋押しできるという利点がある。
【００２２】
包装スリーブの別の実施形態によると、２つの側面、前面、および裏面は折り目線によって限られる。上記の各表面は、（ゲーブル面に隣接する）最上部において、および／または（底面に隣接する）最下部において、折り目線によって限られ得る。折り目線による上記の各表面の横方向の限定も可能である。
【００２３】
包装スリーブの別の実施形態は、２つの側面、前面、および裏面から成る群のうちの２つの隣接する表面の間に配置された少なくとも１つの自由曲面を特徴とする。自由曲面とは、複雑な形状を有する表面を意味すると理解されたい。これらは、特に、一平面のみに存在しない、湾曲した表面である。自由曲面は、２つの側面、前面、および裏面から成る群のうちの２つの隣接する表面の間の境界部分のみにわたり得る、または隣接する表面を互いに完全に分離し得る。
【００２４】
包装スリーブのこの実施形態に関連して、少なくとも１つの自由曲面が折り目線によって限られることが更に示唆される。自由曲面は、（ゲーブル面に隣接する）最上部において、および／または（底面に隣接する）最下部において、折り目線によって限定され得る。折り目線による自由曲面の横方向の限定も可能である。
【００２５】
これに関連して、裏面に隣接するゲーブル面は、前面に隣接するゲーブル面の長さより短い長さを有するべきであることが示唆される。この設計は、包装体の前面の高さを包装体の裏面の高さより低くする。したがって、包装体の上面は下方に傾斜する。これは、包装体の注ぎ出し挙動を向上させ得る。更に、包装体の上側の領域内の一表面を不均衡に大きくできるので、開口補助具（「キャップ」）の取り付けのための空間を提供できる。
【００２６】
包装スリーブのこれら実施形態に関連して、底面およびゲーブル面が、何れの場合も、２つの矩形面と６つの三角面とを備えることが更に示唆される。これら矩形面および三角面も折り目線によって囲まれる、または限られる、ことが好ましい。これら矩形面は、包装体の底部およびゲーブルを折り曲げるために役立つ。三角面は、余剰複合材料を折り曲げて「耳部」を突出させるために使用される。耳部は後で包装体に押し付けられる。
【００２７】
これに関連して、二次折り目線は、底面の３つの隣接する三角面の接点およびゲーブル面の３つの隣接する三角面の接点を通ることが更に示唆される。二次折り目線のこの配置は、二次折り目線が、何れの場合も、例えば「耳部」を形成するために、底面およびゲーブル面を折り曲げる必要がある箇所においてこれら表面を通るという利点がある。したがって、包装スリーブを二次折り目線に沿って折り曲げると、「耳部」の中心を通る折り目線の「折り癖」が事前に付けられることになる。二次折り目線を側面の中心に配置することによる更なる利点は、包装体の端縁の設計のための範囲が二次折り目線によってできる限り小さく限定されることである。これは、底面および／またはゲーブル面の三角面のうちの２つがほぼ同じ表面積を有する場合であり得る。あるいは、これは、底面および／またはゲーブル面の３つの三角面の全てがそれぞれ異なる表面積を有する場合であり得る。
【００２８】
包装スリーブの別の実施形態によると、折り目線および／または二次折り目線は、包装スリーブの内側から外側へ、および／または包装スリーブの外側から内側へ、筋押しされる。折り目線の位置および折り曲げ方向に応じて筋押し方向を変えると、より良好な折り曲げ結果がもたらされ得る。更に、これにより、折り曲げ用ではない、例えば包装体のより良好な把持およびより確実な保持を可能にするために役立つ、外向きに隆起した線が同時に、または折り目線と同じ製造工程で、形成され得る。２つの筋押し方向の組み合わせを一包装スリーブに使用できる。
【００２９】
包装スリーブの別の実施形態において、包装スリーブの複合材料は１５０ｇ／ｍ２と４００ｇ／ｍ２の間、特に２００ｇ／ｍ２と２５０ｇ／ｍ２の間、の範囲内の重量を有することが示唆される。この範囲内の坪量または重量は、低価格および低重量（可能最薄の複合材料）と十分な機械的特性（可能最厚の複合材料）との間の折り合いが良好であることが実証されている。
【００３０】
最後に、包装スリーブの別の実施形態によると、長手方向シームは、裏面の２つの部分面域を互いに接続する。したがって、この実施形態によると、長手方向シームは裏面に配置され、裏面を２つの部分面域に分割することになる。これは、顧客が最も注意を払う場所である前面が、シームなしで製作され得るという利点を有する。長手方向シームを裏面に配置することによる更なる利点は、側面に配置された二次折り目線が長手方向シームと衝突しないことである。裏面の２つの部分面域の幅を等しくすることも（中心の長手方向シーム）、それぞれの幅を違えることもできる（側方に変位された長手方向シーム）。
【００３１】
包装スリーブの別の実施形態によると、複合材料は、包装スリーブ内に延びる長手方向シームの端縁において覆われる、紙または板紙の層を少なくとも１つ含む。紙層または板紙層を覆う目的は、包装体の中身とこの層との間の如何なる接触も防止することである。これは、一方では、液密でない紙層または板紙層からの液体の漏出を防止し、他方では、紙層または板紙層（例えばパルプ繊維）からの汚染から包装体の中身を保護するために役立つ。
【００３２】
この実施形態に関連して、紙または板紙の層が封帯によって、および／または複合材料を長手方向シームの領域において裏返すことによって、覆われることが更に示唆される。前記覆いを実現するための１つの可能性は、別個の封帯の取り付けを伴う。この封帯は、例えば、複合材料の最も内側の層と同じ材料製にでき、この層に接着または溶着できる。覆うための別の可能性は、長手方向シームの領域において複合材料を裏返す、または折り被せる、ことを伴う。これにより、複合材料の全ての層ではなく、最も内側の層のみが包装スリーブ内に延びる長手方向シームの端縁に現れるようになる。ただし、最も内側の層は、何れの場合も、包装体の中身との接触に適した材料製である必要がある。
【００３３】
包装スリーブの別の実施形態において、複合材料は、長手方向シームの領域において剥離される。「剥離された」複合材料とは、剥離された領域の層の数がその他の領域より少ない複合材料を意味すると理解されたい。特に、いくつかの材料層が重なる領域においては、剥離によって厚さの増加が目立たなくなるという利点をもたらす。したがって、剥離された複合材料の使用は、例えば長手方向シームの領域において、複合材料が裏返される、または折り被される、場合に特に好都合である。
【００３４】
別の実施形態によると、包装スリーブは、注ぎ口要素を固定するための材料弱体化部、特に被膜付きの穴、がゲーブル面のうちの１つに設けられ得る。材料弱体化は、その後の注ぎ口要素の取り付けを容易にするために役立つ。この目的のために、例えば最初に複合材料に穴が打ち抜かれる。この穴は、その後に全体に被膜が設けられる。この被膜は、例えばプラスチック箔で行うことができ、注ぎ口要素が貼り付けられるまで包装体を密封するために役立つ。
【００３５】
上記課題は、複合材料製の包装体によっても解決される。この包装体は折り目線に沿って折り曲げられる。この包装体は、底面の領域およびゲーブル面の領域において封着され、二次折り目線に隣接する両側面の部分面域は、何れの場合も、互いに対して１６０°と２００°の間、特に１７０°と１９０°の間、の角度範囲内に配置される。この包装体は、請求項１〜１９の何れか一項に記載の包装スリーブから製造されることを特徴とする。
【００３６】
この包装体は上記の包装スリーブのうちの１つから製造されるので、当該包装スリーブの多くの特性および利点がこの包装体にも見出される。特定の利点の１つは、この包装体は、２か所で折り曲げられる、ひいては２つの折り目端縁を有する、包装スリーブから製造されたとしても、そのスリーブ表面の領域においてその側面に角張った端縁を有さない。この包装体は、少なくとも１つの鉛直角軸線に沿って連続して直線状の折り目端縁を有さないことが好ましく、連続して直線状の折り目端縁をいくつかの、または全ての、鉛直角軸線上に有さないことが最も好ましい。これは、二次折り目線に隣接する両側面の部分面域が、何れの場合も、ほぼ同じ平面に配置されるように、包装体の製造時に包装スリーブが２つの二次折り目線に沿って「折り返される」ことで実現される。したがって、二次折り目線は包装体の端縁を形成せず、包装体の殆ど扁平な２つの外面、すなわち２つの側面、に位置し、かろうじて見える。包装体は、好ましくは５０ｍｌと４０００ｍｌの間、特に８０ｍｌと１０００ｍｌの間、最も好ましくは２００ｍｌと３５０ｍｌの間、の範囲内の容積を有する。包装体は、単一部品として形成されることが好ましい。特に、複合材料製の包装体部分は、何れの場合も、単一部品として形成されることが好ましい。包装体のこの部分には、更なる要素、例えば、注ぎ口要素（例えばプラスチック製のフリップキャップまたはねじ式キャップ）または飲用補助具（例えば飲用ストロー）を追加できる。上記の包装スリーブから包装体を製造する別の利点は、包装スリーブの底面領域が未だ溶着されていないので、底部の設計を変えられることである。
【００３７】
包装体の１つの実施形態によると、前面および裏面は、互いにほぼ平行な平面にそれぞれ配置される。代わりに、または加えて、２つの側面は、互いにほぼ平行な平面にそれぞれ配置される。４つの大きな表面のこの配置は、輸送または保管目的のためにいくつかの包装体のコンパクトな組み合わせを可能にする。それにも拘わらず、これら表面のこの配置は必ずしも矩形の断面形状をもたらさない。その理由は、表面間の移行部が矩形状または角状ではなく、例えば曲面によって、特に自由曲面によって、実現され得るからである。
【００３８】
包装体の別の実施形態は、包装体の下方領域において底面に押し付けられる耳部を特徴とする。代わりに、または加えて、包装体は、包装体の上方領域において側面に押し付けられる耳部を特徴とする。包装体の下方領域において、耳部は底面にさまざまな方法で押し付けられ得る。底部の１つの変形例では、耳部は底部の矩形面の下に折り畳まれて、そこの所定位置に固定される。これに対して、底部の別の変形例は、底面の矩形面の上方に配置され、後で折り曲げられる内向きの耳部を有し得る。第１の変形例は、充填済みの包装体の自重によって耳部が包装体に確実に押し付けられるという利点がある。第２の変形例は、特に滑らかな底面をもたらす。更に、耳部に接触せずに包装体を確実に把持できる。側面への上側耳部の配置は、注ぎ口要素を包装体の上側に配置できるという利点がある。
【００３９】
上記課題は、複合材料製の包装スリーブから包装体を製造する方法によっても解決される。本方法は、ａ）請求項１〜１９の何れか一項に記載の包装スリーブを供給するステップと、ｂ）側面、前面、および裏面の間の折り目線に沿って包装スリーブを展開するステップと、ｃ）包装スリーブの２つの側面を２つの二次折り目線に沿って折り返すステップと、ｄ）包装スリーブを底面の領域において封着するステップとを含む。本方法は、ステップｄ）がステップｂ）の後で、更にはステップｃ）の後で、実施されることを特徴とする。本方法は、ｅ）複合材料の変形によって自由曲面を形成するステップが追加され得る。ステップｅ）は、包装体の充填前、および／または包装体の充填および封着後、に実施され得る。
【００４０】
上記のように、本方法も包装体を包装スリーブから製造するが、その折り目端縁はこの包装スリーブから製作された包装体の端縁を形成しないという着想に基づく。これは、二次折り目線に沿って折り曲げられた包装スリーブが「折り返され」、それによって二次折り目線に沿った折り曲げが逆向きになることで可能になる。したがって、包装スリーブに設けられる二次折り目線は、包装体の端縁を形成せず、代わりに、包装体の端縁間に（このケースでは側面に）配置される。当然、包装スリーブは他の折り目線の領域において折り曲げられる。ただし、これら折り目線は、必ずしも角張った折り目端縁に形成される必要はなく、その経路を湾曲させるもこともできる。これは、複雑な形状を有する包装体の製造を可能にする。更に、包装スリーブが展開されて折り返された後に、包装スリーブを最初に底面の領域に封着することで、さまざまな底部形状の実現が可能である。
【００４１】
本方法の１つの実施形態によると、ステップｂ）およびステップｃ）は同時に実施される。ステップｂ）およびステップｃ）は、複数段階においてのみ同時に、または連続的に、実施され得る。「展開」および「折り返し」の同時実施は、両折り曲げ作業が同じ機械で、おそらく同じ工具を用いて、実施され得るという利点がある。これは、例えば、二次折り目線によって形成される包装スリーブの２つの折り目端縁が互いに向かって移動され、それによって包装スリーブが開かれることで実現され得る。側面、前面、および裏面の間の鉛直折り目線に沿った折り曲げは、その内側輪郭が包装体の外側輪郭に相当する、好ましくは複数部分で構成された、型で包装スリーブが開かれることで確実なものにされ得る（「成形プレス」）。
【００４２】
最後に、本方法の別の実施形態によると、折り返された後、二次折り目線に隣接する包装体の一側面の部分面域は、何れの場合も、ここでも互いに対して１６０°と２００°の間、特に１７０°と１９０°の間、の角度範囲内にある。したがって、各側面は、当該側面が実質的に扁平な側面を形成するまで、二次折り目線に沿って折り返される必要がある。
【００４３】
以下においては、好適な一例示的実施形態を簡単に表している図面を参照して、本発明をより詳細に説明する。
【図面の簡単な説明】
【００４４】
【図１Ａ】従来技術から公知の包装スリーブに折り曲げられることになるスリーブブランクを示す。
【図１Ｂ】図１Ａに示されているスリーブブランクから形成された従来技術から公知の包装スリーブの扁平に折り畳まれた状態を示す。
【図１Ｃ】図１Ｂの包装スリーブの展開された状態を示す。
【図１Ｄ】底面およびゲーブル面に折り癖が付けられた図１Ｃの包装スリーブを示す。
【図１Ｅ】図１Ａに示されているスリーブブランクから形成された、溶着後の、従来技術から公知の包装体を示す。
【図１Ｆ】耳部が折り曲げられた図１Ｅの包装体を示す。
【図２Ａ】本発明による包装スリーブの第１の実施形態を製造するためのスリーブブランクを示す。
【図２Ｂ】図２Ａに示されているスリーブブランクから形成された本発明による包装スリーブの第１の実施形態を正面図で示す。
【図２Ｃ】図２Ｂの包装スリーブを裏面図で示す。
【図２Ｄ】図２Ｂおよび図２Ｃの包装スリーブの展開された状態を示す。
【図２Ｅ】底面およびゲーブル面に折り癖が付けられた図２Ｄの包装スリーブを示す。
【図２Ｅａ】底面およびゲーブル面に折り癖が付けられた図２Ｄの包装スリーブを示す。
【図２Ｆ】図２Ｂに示されている包装スリーブから形成された、溶着後の、本発明による包装体の第１の実施形態を示す。
【図２Ｆａ】図２Ｂに示されている包装スリーブから形成された、溶接後の、本発明による包装体の第１の実施形態を示す。
【図２Ｇ】耳部が折り曲げられた図２Ｆの包装体を示す。
【図２Ｇａ】フィンシームが折り曲げられた図２Ｆａの包装体を示す。
【図３Ａ】本発明による包装スリーブの第２の実施形態を製造するためのスリーブブランクを示す。
【図３Ｂ】図３Ａに示されているスリーブブランクから形成された本発明による包装スリーブの第２の実施形態を正面図で示す。
【図３Ｃ】図３Ｂの包装スリーブを裏面図で示す。
【図３Ｄ】図３Ｂおよび図３Ｃの包装スリーブの展開された状態を示す。
【図３Ｅ】底面およびゲーブル面に折り癖が付けられた図３Ｄの包装スリーブを示す。
【図３Ｅａ】底面およびゲーブル面に折り癖が付けられた図３Ｄの包装スリーブを示す。
【図３Ｆ】図３Ｂに示されている包装スリーブから形成された、溶着後の、本発明による包装体の第２の実施形態を示す。
【図３Ｆａ】図３Ｂに示されている包装スリーブから形成された、溶着後の、本発明による包装体の第２の実施形態を示す。
【図３Ｇ】耳部が折り曲げられた図３Ｆの包装体を示す。
【図３Ｇａ】フィンシームが折り曲げられた図３Ｆａの包装体を示す。
【発明を実施するための形態】
【００４５】
図１Ａは、包装スリーブを形成できる従来技術から公知のスリーブブランク１を示す。スリーブブランク１は、異種材料、例えば、紙、板紙、プラスチック、または金属、特にアルミニウム、の層をいくつか備え得る。スリーブブランク１は折り目線２をいくつか有する。これら折り目線２は、スリーブブランク１の折り曲げを容易にするためであり、スリーブブランク１をいくつかの表面に分割する。スリーブブランク１は、第１側面３、第２側面４、前面５、裏面６、封着面７、底面８、およびゲーブル面９に分割可能である。包装スリーブはスリーブブランク１から、封着面７が前面５に接続、特に溶着、され得るようにスリーブブランク１を折り曲げることで、形成され得る。
【００４６】
図１Ｂは、従来技術から公知の包装スリーブ１０が扁平に折り畳まれた状態を示す。図１Ｂでは、図１Ａに関連して既に説明した包装スリーブの各領域に、対応する参照符号が付けられている。包装スリーブ１０は、図１Ａに示されているスリーブブランク１から形成される。この目的のために、スリーブブランク１は、封着面７と前面５とが互いにが重なり合うように折り曲げられているので、この２つの表面同士を表面溶着できる。その結果、長手方向シーム１１が形成される。図１Ｂは、扁平に折り畳まれた状態の包装スリーブ１０を示す。この状態において、前面５の下に側面４（図１Ｂでは隠れている）があり、もう一方の側面３は（図１Ｂでは隠れている）裏面６の上にある。扁平に折り畳まれた状態で、いくつかの包装スリーブ１０を特に省スペースで積み重ねることができる。したがって、包装スリーブ１０は、多くの場合、製造現場で積み重ねられ、積み重ねられた形態で充填場所に輸送される。そこで、中身、例えば食品、を充填できるように、大半の場合は充填機内で、包装スリーブ１０は初めて個々に分けられて展開される。この充填は、無菌状態で行われ得る。
【００４７】
図１Ｃは、図１Ｂの包装スリーブ１０の展開された状態を示す。この図でも、図１Ａまたは図１Ｂに関連して既に説明した包装スリーブ１０の各領域に、対応する参照符号が付けられている。展開された状態とは、何れの場合も、隣接し合う２つの表面３、４、５、６の間に約９０°の角度が形成され、これら表面の形状に応じて包装スリーブ１０が正方形または矩形の断面を呈している形状構成を指す。したがって、対向する側面３、４は互いに平行に配置されている。同じことは、前面５および裏面６にも当てはまる。
【００４８】
図１Ｄは、図１Ｃの包装スリーブ１０に折り癖が付けられた状態、すなわち、底面８の領域ならびにゲーブル面９の領域の両方の折り目線２に折り癖が付けられた状態、を示す。前面５および裏面６に隣接する底面８およびゲーブル面９の領域は、矩形面１２とも称される。矩形面１２は、折り癖を付けるときに内側に折り曲げられ、後で包装体の底部またはゲーブルを形成する。これに対し、側面３、４に隣接する底面８およびゲーブル面９の領域は、三角面１３と称される。各三角面１３は、折り癖を付けるときに外側に折り曲げられ、余剰材料の突出領域を形成する。この領域は、「耳部」１４とも称され、その後の製造工程において折り曲げられ、例えば接着接合処理を用いて、包装体に固定される。
【００４９】
図１Ｅは、図１Ａに示されているスリーブブランクから形成された従来技術から公知の包装体１５を示す。溶着後の、すなわち充填および封着後の状態の、包装体１５が示されている。封着後、フィンシーム１６が底面８の領域およびゲーブル面９の領域に形成される。図１Ｅでは、耳部１４およびフィンシーム１６が突出している。耳部１４およびフィンシーム１６はどちらも、その後の製造工程で、例えば、特に活性化および加圧を含む、溶着処理によって、扁平に折り畳まれる。
【００５０】
図１Ｆは、耳部１４が折り曲げられた図１Ｅの包装体１５を示す。更に、フィンシーム１６も扁平に折り畳まれて包装体１５に押し付けられている。ゲーブル面９の領域に配置された上側耳部１４は、下向きに折り畳まれ、２つの側面３、４に扁平に固定されている。上側耳部１４は、２つの側面３、４に接着接合または溶着されることが好ましい。底面８の領域に配置された下側耳部１４は、下向きに折り曲げられるが、底面８の２つの矩形面１２によって形成された包装体１５の下面に扁平に固定される。下側耳部１４も包装体１５に、特に矩形面１２に、接着接合または溶着されることが好ましい。
【００５１】
図２Ａは、本発明による包装スリーブの第１の実施形態を製造するためのスリーブブランク１’を示す。図２Ａでは、図１Ａ〜図１Ｆに関連して既に説明したスリーブブランクの領域に、対応する参照符号が付けられている。スリーブブランク１’の底面８およびゲーブル面９は、図１Ａのスリーブブランク１と比較して、変更されていない。ただし、４つの大きな表面（すなわち、２つの側面３、４、前面５、および裏面６）を互いに分割する折り目線２’の配置に違いがある。４つの大きな表面３、４、５、６は、何れの場合も、もはや直線状の折り目線２によって分離されない。代わりに、４つの大きな表面３、４、５、６は、何れの場合も、２つの湾曲した折り目線２’によって互いに分割される。２つの折り目線２’の間に、何れの場合も、自由曲面１７が配置される。更なる違いは、スリーブブランク１’の２つの側面３、４が何れの場合も二次折り目線１８を含むことである。２つの二次折り目線１８は直線状であり、互いに平行に延びる。更に、二次折り目線１８は、底面８の３つの隣接する三角面１３の接点ＳＢおよびゲーブル面９の３つの隣接する三角面１３の接点ＳＧを通る。
【００５２】
底面８は４つの頂点Ｅ８を形成し、ゲーブル面９は４つの頂点Ｅ９を形成する。頂点Ｅ８、Ｅ９は、スリーブブランク１’から製作される包装体の頂点を表す。底面８の各頂点Ｅ８は、ゲーブル面９の対応する頂点Ｅ９に対応付けられる。何れの場合も、頂点Ｅ９は、包装体が立位状態のとき、この頂点Ｅ８の上方に配置される。対応付けられた２つの頂点Ｅ８、Ｅ９を角軸線ＥＡが通る。角軸線ＥＡは、従来の直方体状の包装体では、包装体の鉛直端縁に相当する。したがって、図２Ａに示されているスリーブブランク１’には、４つの角軸線ＥＡが存在する。この４つの角軸線ＥＡは、スリーブブランク１’から製作された包装スリーブにも、この包装スリーブから製作された包装体にも、存在する（分かり易いように、何れの場合も、単一の角軸線ＥＡのみが描かれている）。底面８の頂点Ｅ８とこれらに対応付けられたゲーブル面９の頂点Ｅ９との間には、すなわち角軸線ＥＡに沿って、折り目線が設けられない。
【００５３】
図２Ｂは、図２Ａに正面図で示されているスリーブブランク１’から形成された、本発明による包装スリーブ１０’の第１の実施形態を示す。図２Ｂでは、図１Ａ〜図２Ａに関連して既に説明した包装スリーブの領域に、対応する参照符号が付けられている。包装スリーブ１０’は、スリーブブランク１’から２段階で製作されている。最初に、スリーブブランク１’は、２つの二次折り目線１８に沿って折り曲げられる。次に、分割された裏面６の２つの部分面域６Ａ、６Ｂが、封着面７の領域において互いに接続、特に溶着、されて長手方向シーム１１（図２Ｂでは隠れている）を形成する。したがって、包装スリーブ１’は周方向に閉じた筒状構造を有し、底面８の領域の開口部とゲーブル面９の領域の開口部とを有する。これにより、包装スリーブ１０’内に延びる長手方向シーム１１の端縁が覆われる。複合材料の露出した切断縁を覆う目的は、包装体の中身とこの層、特にそこに含まれている紙層または板紙層、との間の接触を防止することである。この場合、切断縁の覆いは、事前に剥離された複合層を折り被せることによって実現される。この正面図には、折り目線２’によって両側で限られた中央に位置する前面５が見える。折り目線２’によって同じく側方で限られた側面３、４の部分面域３Ａ、４Ａも両側に見える。側面３、４のその他の部分面域３Ｂ、４Ｂは、包装スリーブ１０’の裏側にあり、したがって図２Ｂでは隠れている。折り目線２’の間に自由曲面１７が設けられる。自由曲面１７は、後で包装体の（非矩形）「端縁」を形成する包装スリーブ１０’の領域に配置される。
【００５４】
図２Ｃは、図２Ｂの包装スリーブ１’を裏面図で示す。図２Ｃでは、図１Ａ〜図２Ｂに関連して既に説明した包装スリーブの領域に、対応する参照符号が付けられている。この裏面図では、中央に位置する裏面６が見える。裏面６は、長手方向シーム１１によって接続された２つの部分面域６Ａ、６Ｂを備え、折り目線２’によって両側で限られる。折り目線２’によって同じく側方で限られる側面３、４の部分面域３Ｂ、４Ｂが両側に見える。側面３、４のその他の部分面域３Ａ、４Ａは、包装スリーブ１０’の前側にあるので、図２Ｃでは隠れている。包装スリーブ１０’の裏側の折り目線２’の間にも自由曲面１７が設けられる。これら自由曲面１７は、後で包装体本体の（非矩形）「端縁」を形成する包装スリーブ１０’の領域に配置される。
【００５５】
図２Ｄは、図２Ｂおよび図２Ｃの包装スリーブ１’の展開された状態を示す。図２Ｄでは、図１Ａ〜図２Ｃに関連して既に説明した包装スリーブの領域に、対応する参照符号が付けられている。展開された状態は、いくつかの折り曲げ工程で実現され得る。最初に、包装スリーブ１０’は、４つの大きな表面３、４、５、６と４つの自由曲面１７との間に配置された折り目線２’に沿って折り曲げられる。次に、包装スリーブ１’は、側面３、４を通る二次折り目線１８に沿って折り返される。スリーブは、約１８０°折り返される。二次折り目線１８に沿ったこの折り返しは、二次折り目線１８に隣接する第１側面３の２つの部分面域３Ａ、３Ｂがもはや互いに上下に重ならず、同じ平面に配置されるという結果をもたらす。同様に、二次折り目線１８に沿った折り返しは、二次折り目線１８に隣接する第２側面４の２つの部分面域４Ａ、４Ｂがもはや互いに上下に重ならず、同じ平面に配置されるという結果をもたらす。したがって、包装スリーブ１０’は、その扁平な状態（図２Ｂ、図２Ｃ）では、二次折り目線１８に沿ってのみ折り曲げられる。これに対して、展開された状態（図２Ｄ）では、包装スリーブ１０’は（それから形成される包装体のように）、もはや二次折り目線１８に沿って折り曲げられない。したがって、「二次」折り目線１８と呼称される。
【００５６】
図２Ｅは、底面およびゲーブル面に折り癖が付けられた図２Ｄの包装スリーブ１０’を示す。図２Ｅでは、図１Ａ〜図２Ｄに関連して既に説明した包装スリーブの領域に、対応する参照符号が付けられている。折り癖が付けられた状態とは、（図１Ｄのように）底面８の領域ならびにゲーブル面９の領域の両方に折り目線２’の折り癖が付けられた状態を指す。前面５および裏面６に隣接する底面８およびゲーブル面９の領域は、矩形面１２とも称される。矩形面１２は、折り癖が付けられるときに内側に折り曲げられ、後で包装体の底部またはゲーブルを形成する。これに対して、側面３、４に隣接する底面８およびゲーブル面９の領域は、三角面１３と称される。三角面１３は、折り癖が付けられるときに外側に折り曲げられて余剰材料の突出領域を形成する。この領域は、「耳部」１４とも称され、後の製造工程で、折り曲げられ、例えば接着処理を用いて、包装体に固定される。
【００５７】
図２Ｅａも、底面およびゲーブル面に折り癖が付けられた図２Ｄの包装スリーブ１０’を示す。そのため、対応する参照符号がここでも使用されている。図２Ｅとの違いは、三角面１３が外側にではなく、内側に折り曲げられる点である。
【００５８】
図２Ｆは、図２Ｂに示されている包装スリーブ１０’から形成された、溶着後の、本発明による包装体１５’の第１の実施形態を示す。図２Ｆでは、図１Ａ〜図２Ｅに関連して既に説明した包装体の領域に、対応する参照符号が付けられている。溶着後の、すなわち充填および封着された状態の、包装体１５’が示されている。封着後、フィンシーム１６が底面８の領域およびゲーブル面９の領域に形成される。図２Ｆでは、耳部１４およびフィンシーム１６が突出している。耳部１４およびフィンシーム１６はどちらも折り曲げられ、後の製造工程で、例えば接着または溶着処理によって、扁平に固定される。
【００５９】
図２Ｆａは、図２Ｂに示されている包装スリーブ１０’から形成された、溶着後の、本発明による包装体１５’の第１の実施形態を更に示す。したがって、ここでも対応する参照符号が使用されている。図２Ｆとの違いは、三角面１３が溶着前に外側ではなく、内側に折り曲げられる点である。したがって、「耳部」１４は、外側に突出せず、内側に延在する。これにより、より短いフィンシーム１５がもたらされる。
【００６０】
図２Ｇは、耳部１４が折り曲げられた図２Ｆの包装体１５’を示す。図２Ｇでは、図１Ａ〜図２Ｆに関連して既に説明した包装体の領域に、対応する参照符号が付けられている。耳部１４と同様に、フィンシーム１６も折り曲げられて包装体１５’に押し付けられる。ゲーブル面９の領域に配置された上側耳部１４は下向きに折り曲げられ、２つの側面３、４に扁平に固定される。上側耳部１４は、２つの側面３、４に接着接合または溶着されることが好ましい。底面８の領域に配置された下側耳部１４は、下向きに折り曲げられるが、底面８の２つの矩形面１２によって形成された包装体１５’の下面に扁平に固定される。下側耳部１４も包装体１５’に、特に矩形面１２に、接着接合または溶着されることが好ましい。図２Ｇに示されている包装体１５’において、前面５および裏面６は互いに平行に配置されている。包装体１５’では、２つの側面３、４も互いに平行に配置されている。４つの大きな表面３、４、５、６の隣接する表面間に、何れの場合も、約９０°の角度が形成される。ただし、（図１Ｆの包装体１５と異なり）、４つの大きな表面３、４、５、６の間の移行部は、角張った端縁によっては形成されず、幾何学的に複雑な形態の自由曲面１７によって形成される。
【００６１】
図２Ｇａは、フィンシーム１６が折り曲げられた図２Ｆａの包装体１５’を示す。したがって、ここでも対応する参照符号が使用されている。フィンシーム１６は折り被され、底面８の２つの矩形面１２によって形成された包装体１５’の下面に扁平に押し付けられる。フィンシーム１６は、包装体１５’に、特に矩形面１２に、接着接合または溶着されることが好ましい。図２Ｇとの違いは、包装体１５’の底部の構造にある。図２Ｇでは、耳部１４が矩形面１２の下に配置されており、したがって下側から見える。これに対して、図２Ｇａでは、矩形面１２が耳部１４の下に配置されており、したがって下側から見える。
【００６２】
図３Ａは、本発明による包装スリーブの第２の実施形態を製造するためのスリーブブランク１”を示す。図３Ａのスリーブブランク１”は、図２Ａのスリーブブランク１にほぼ対応するので、ここでも対応する参照符号が使用されている。１つの違いは、ゲーブル面９の形態にある。底面８の長さＬ８は、スリーブブランク１”の全幅にわたって一定であるが、ゲーブル面９の長さは複数の異なる値を有する。裏面６に隣接するゲーブル面９は縮小された長さＬ９ｍｉｎを有する。これに対して、前面５に隣接するゲーブル面９は増大された長さＬ９ｍａｘを有する。この設計は、前面５の高さが裏面６より低いことを意味する。側面３、４は、前面５および裏面６のそれぞれ異なる高さの間の移行部をもたらす。そのため、スリーブブランク１”の場合（スリーブブランク１およびスリーブブランク１’と異なり）、側面３、４は、矩形でなく、斜めに傾斜した上縁を有する。スリーブブランク１”の場合も、２つの側面３、４の各々は、二次折り目線１８を含む。２つの二次折り目線１８は直線状であり、互いに平行に延びる。更に、二次折り目線１８は、底面８の３つの隣接する三角面１３の接点ＳＢおよびゲーブル面９の３つの隣接する三角面１３の接点ＳＧを通る。
【００６３】
図３Ｂは、図３Ａに示されているスリーブブランク１”から形成された、本発明による包装スリーブ１０”の第２の実施形態を正面図で示す。図３Ｂの包装スリーブ１０”は、図２Ｂの包装スリーブ１０’にほぼ対応するので、ここでも対応する参照符号が使用されている。１つの違いは、前面５に隣接するゲーブル面９の領域の増大された長さＬ９ｍａｘにある。
【００６４】
図３Ｃは、図３Ｂの包装スリーブ１０”を裏面図で示す。図３Ｃの包装スリーブ１０”は図２Ｃの包装スリーブ１０’にほぼ対応するので、ここでも対応する参照符号が使用されている。１つの違いは、裏面６に隣接するゲーブル面９の領域の縮小された長さＬ９ｍｉｎにある。
【００６５】
図３Ｄは、図３Ｂおよび図３Ｃの包装スリーブ１０”の展開された状態を示す。図３Ｄの包装スリーブ１０”は図２Ｄの包装スリーブ１０’にほぼ対応するので、ここでも対応する参照符号が使用されている。１つの違いは、前面５に隣接するゲーブル面９の領域の増大された長さＬ９ｍａｘ、ならびに裏面６に隣接するゲーブル面９の領域の縮小された長さＬ９ｍｉｎにある。
【００６６】
図３Ｅは、底面およびゲーブル面に折り癖が付けられた図３Ｄの包装スリーブ１０”を示す。図３Ｅの包装スリーブ１０”は、図２Ｅの包装スリーブ１０’にほぼ対応するので、ここでも対応する参照符号が使用されている。１つの違いは、前面５に隣接するゲーブル面９の領域の増大された長さＬ９ｍａｘ、ならびに裏面６に隣接するゲーブル面９の領域の縮小された長さＬ９ｍｉｎにある。
【００６７】
図３Ｅａも、底面およびゲーブル面に折り癖が付けられた図３Ｄの包装スリーブ１０”を示す。そのため、ここでも対応する参照符号が使用されている。図３Ｅとの違いは、三角面１３が外側ではなく、内側に折り曲げられる点である。
【００６８】
図３Ｆは、図３Ｂに示されている包装スリーブ１０”から形成された、溶着後の、本発明による包装体１５”の第２の実施形態を示す。図３Ｆの包装体１５”は図２Ｆの包装体１５’にほぼ対応するので、ここでも対応する参照符号が使用されている。１つの違いは、前面５に隣接するゲーブル面９の領域の増大された長さＬ９ｍａｘ、ならびに裏面６に隣接するゲーブル面９の領域の縮小された長さＬ９ｍｉｎにある。ゲーブル面９の増大された長さＬ９ｍａｘは、注ぎ口要素１９のために使用可能な大きな表面をもたらす。
【００６９】
図３Ｆａも、図３Ｂに示されている包装スリーブ１０”から形成された、溶着後の、本発明による包装体１５”の第２の実施形態を示す。したがって、ここでも対応する参照符号が使用されている。図３Ｆとの違いは、三角面１３が、溶着前に、外側ではなく、内側に折り曲げられる点である。したがって、「耳部」１４は外側に突出せず、内側に延在する。これにより、より短いフィンシーム１５がもたらされる。
【００７０】
図３Ｇは、耳部１４が折り曲げられた図３Ｆの包装体１５”を示す。図３Ｇの包装体１５”は図２Ｇの包装体１５’にほぼ対応するので、ここでも対応する参照符号が使用されている。ここでも、１つの違いは、前面５に隣接するゲーブル面９の領域の増大された長さＬ９ｍａｘ、ならびに裏面６に隣接するゲーブル面９の領域の縮小された長さＬ９ｍｉｎにある。ゲーブル面９の増大された長さＬ９ｍａｘは、注ぎ口要素１９のために使用可能な大きな表面をもたらす。
【００７１】
最後に、図３Ｇａは、フィンシーム１５が折り曲げられた図３Ｆａの包装体１５”を示す。したがって、ここでも対応する参照符号が使用されている。フィンシーム１５は折り被され、底面８の２つの矩形面１２によって形成された包装体１５”の下面に扁平に押し付けられる。フィンシーム１５は、包装体１５”に、特に矩形面１２に、接着接合または溶着されることが好ましい。図３Ｇとの違いは、包装体１５”の底部の構造にある。図３Ｇでは、耳部１４が矩形面１２の下に配置されており、したがって下側から見える。これに対して、図３Ｇａでは、矩形面１２が耳部１４の下に配置されており、したがって下側から見える。
【符号の説明】
【００７２】
１、１’、１”  スリーブブランク
２、２’  折り目線
３、４  側面
３Ａ、３Ｂ、４Ａ、４Ｂ  （側面３、４の）部分面域
５  前面
６  裏面
６Ａ、６Ｂ  （裏面６の）部分面域
７  封着面
８  底面
９  ゲーブル面
１０、１０’、１０”  包装スリーブ
１１  長手方向シーム
１２  矩形面
１３  三角面
１４  耳部
１５、１５’、１５”  包装体
１６  フィンシーム
１７  自由曲面
１８  二次折り目線
１９  注ぎ口要素
Ｌ８  （底面８の）長さ
Ｌ９ｍｉｎ  （ゲーブル面９の）最小長
Ｌ９ｍａｘ  （ゲーブル面９の）最大長
ＥＡ  角軸線
Ｅ８  （底面８の）頂点
Ｅ９  （ゲーブル面９の）頂点
ＳＢ  （底面８の三角面１３の）接点
ＳＧ  （ゲーブル面９の三角面１３の）接点
【図１Ａ】
2019510702.tif 000003
【図１Ｂ】
2019510702.tif 000004
【図１Ｃ】
2019510702.tif 000005
【図１Ｄ】
2019510702.tif 000006
【図１Ｅ】
2019510702.tif 000007
【図１Ｆ】
2019510702.tif 000008
【図２Ａ】
2019510702.tif 000009
【図２Ｂ】
2019510702.tif 000010
【図２Ｃ】
2019510702.tif 000011
【図２Ｄ】
2019510702.tif 000012
【図２Ｅ】
2019510702.tif 000013
【図２Ｅａ】
2019510702.tif 000014
【図２Ｆ】
2019510702.tif 000015
【図２Ｆａ】
2019510702.tif 000016
【図２Ｇ】
2019510702.tif 000017
【図２Ｇａ】
2019510702.tif 000018
【図３Ａ】
2019510702.tif 000019
【図３Ｂ】
2019510702.tif 000020
【図３Ｃ】
2019510702.tif 000021
【図３Ｄ】
2019510702.tif 000022
【図３Ｅ】
2019510702.tif 000023
【図３Ｅａ】
2019510702.tif 000024
【図３Ｆ】
2019510702.tif 000025
【図３Ｆａ】
2019510702.tif 000026
【図３Ｇ】
2019510702.tif 000027
【図３Ｇａ】
2019510702.tif 000028
【手続補正書】
【提出日】平成30年2月5日(2018.2.5)
【手続補正１】
【補正対象書類名】特許請求の範囲
【補正対象項目名】全文
【補正方法】変更
【補正の内容】
【特許請求の範囲】
【請求項１】
包装体（１５’、１５”）を製造するための複合材料製の包装スリーブ（１０’、１０”）であって、
−  前面（５）と、
−  裏面（６）と、
−  ２つの側面（３、４）と、
−  前記２つの側面（３、４）、前記前面（５）、および前記裏面（６）の両側に配置された底面（８）およびゲーブル面（９）と、
−  筒状の包装スリーブ（１０’、１０”）を形成するために前記複合材料の２つの端縁を接続する長手方向シーム（１１）と、
を備え、
−  前記包装スリーブ（１０’、１０”）は、いくつかの折り目線（２、２’）を有し、
−  前記２つの側面（３、４）は、何れの場合も、前記側面（３、４）を通る二次折り目線（１８）を有し、
−  前記包装スリーブ（１０’、１０”）は両二次折り目線（１８）に沿ってのみ折り曲げられ、
−  前記包装スリーブ（１０’、１０”）は、前記底面（８）の領域および前記ゲーブル面（９）の領域の両方において開口している、
包装スリーブ（１０’、１０”）において、
前記複合材料は、前記包装スリーブ（１０’、１０”）内に延びる前記長手方向シーム（１１）の前記端縁上で覆われる紙または板紙の層を少なくとも１つ含む、
ことを特徴とする包装スリーブ（１０’、１０”）。
【請求項２】
前記折り目線（２、２’）の少なくとも一つは、少なくとも部分的に、直線状に延びず、特に湾曲または屈折していることを特徴とする、請求項１に記載の包装スリーブ（１０’、１０”）。
【請求項３】
前記折り目線（２、２’）は交差せず、０．１ｍｍと２．０ｍｍの間の範囲内の最小距離を相互間に維持することを特徴とする、請求項１または２に記載の包装スリーブ（１０’、１０”）。
【請求項４】
前記底面（８）は前記包装体の頂点（Ｅ８）を含み、前記ゲーブル面（９）は前記包装体の頂点（Ｅ９）を含み、前記底面（８）の少なくとも１つの頂点（Ｅ８）とこれに対応付けられた前記ゲーブル面（９）の頂点（Ｅ９）との間に連続した直線状の折り目線（２、２’）が設けられないことを特徴とする、請求項１〜３の何れか一項に記載の包装スリーブ（１０’、１０”）。
【請求項５】
前記包装スリーブ（１０’、１０”）は両二次折り目線（１８）に沿って何れの場合も約１８０°の角度で扁平に折り畳まれることを特徴とする、請求項１〜４の何れか一項に記載の包装スリーブ（１０’、１０”）。
【請求項６】
前記２つの二次折り目線（１８）は互いに平行に延びることを特徴とする、請求項１〜５の何れか一項に記載の包装スリーブ（１０’、１０”）。
【請求項７】
前記２つの側面（３、４）、前記前面（５）、および前記裏面（６）は折り目線（２、２’）によって限られることを特徴とする、請求項１〜６の何れか一項に記載の包装スリーブ（１０’、１０”）。
【請求項８】
前記２つの側面（３、４）、前記前面（５）、および前記裏面（６）から成る群のうちの２つの隣接する面（３、４、５、６）の間に配置される少なくとも１つの自由曲面（１７）を特徴とする、請求項１〜７の何れか一項に記載の包装スリーブ（１０’、１０”）。
【請求項９】
前記少なくとも１つの自由曲面（１７）は折り目線（２、２’）によって限られることを特徴とする、請求項８に記載の包装スリーブ（１０’、１０”）。
【請求項１０】
前記裏面（６）に隣接する前記ゲーブル面（９）は、前記前面（５）に隣接する前記ゲーブル面（９）の長さ（Ｌ９ｍａｘ）より短い長さ（Ｌ９ｍｉｎ）を有することを特徴とする、請求項１〜９の何れか一項に記載の包装スリーブ（１０’、１０”）。
【請求項１１】
前記底面（８）および前記ゲーブル面（９）は、何れの場合も、２つの矩形面（１２）と６つの三角面（１３）とを備えることを特徴とする、請求項１〜１０の何れか一項に記載の包装スリーブ（１０’、１０”）。
【請求項１２】
前記二次折り目線（１８）は、前記底面（８）の３つの隣接する三角面（１３）の接点（ＳＢ）と前記ゲーブル面（９）の３つの隣接する三角面（１３）の接点（ＳＧ）とを通ることを特徴とする、請求項１１に記載の包装スリーブ（１０’、１０”）。
【請求項１３】
前記折り目線（２、２’）および／または前記二次折り目線（１８）は、前記包装スリーブ（１０’、１０”）の内側から外側へ、および／または前記包装スリーブ（１０’、１０”）の外側から内側へ、筋押しされることを特徴とする、請求項１〜１２の何れか一項に記載の包装スリーブ（１０’、１０”）。
【請求項１４】
前記包装スリーブ（１０’、１０”）の前記複合材料は、１５０ｇ／ｍ２と４００ｇ／ｍ２の間、特に２００ｇ／ｍ２と２５０ｇ／ｍ２の間、の範囲内の重量を有することを特徴とする、請求項１〜１３の何れか一項に記載の包装スリーブ（１０’、１０”）。
【請求項１５】
前記長手方向シーム（１１）は、前記裏面（６）の２つの部分面域（６Ａ、６Ｂ）を互いに接続することを特徴とする、請求項１〜１４の何れか一項に記載の包装スリーブ（１０’、１０”）。
【請求項１６】
前記紙または板紙の層は、封帯によって、および／または前記複合材料を前記長手方向シーム（１１）の前記領域において裏返すことによって、覆われることを特徴とする、請求項１５に記載の包装スリーブ（１０’、１０”）。
【請求項１７】
前記複合材料は、前記長手方向シーム（１１）の前記領域において剥離されることを特徴とする、請求項１〜１６の何れか一項に記載の包装スリーブ（１０’、１０”）。
【請求項１８】
注ぎ口要素（１９）を固定するための、前記ゲーブル面（９）のうちの１つに設けられた材料弱体化部、特に被膜付きの穴、を特徴とする、請求項１〜１７の何れか一項に記載の包装スリーブ（１０’、１０”）。
【請求項１９】
複合材料製の包装体（１５’、１５”）であって、
−  前記包装体（１０’、１０”）は折り目線（２、２’）に沿って折り曲げられ、
−  前記包装体（１５’、１５”）は底面（８）の領域およびゲーブル面（９）の領域において封着され、
−  二次折り目線（１８）に隣接する両側面（３、４）の部分面域（３Ａ、３Ｂ、４Ａ、４Ｂ）が何れの場合も互いに対して１６０°と２００°の間、特に１７０°と１９０°の間、の角度範囲内に配置される、
包装体（１５’、１５”）において、
前記包装体（１５’、１５”）は、請求項１〜１８の何れか一項に記載の包装スリーブ（１０’、１０”）から製造されることを特徴とする、包装体（１５’、１５”）。
【請求項２０】
前記前面（５）および前記裏面（６）は、互いにほぼ平行な平面に配置されることを特徴とする、請求項１９に記載の包装体（１５’、１５”）。
【請求項２１】
前記２つの側面（３、４）は、互いにほぼ平行な平面に配置されることを特徴とする、請求項１９または２０に記載の包装体（１５’、１５”）。
【請求項２２】
前記包装体（１５’、１５”）の下方領域において前記底面（８）に押し付けられる耳部（１４）を特徴とする、請求項１９〜２１の何れか一項に記載の包装体（１５’、１５”）。
【請求項２３】
前記包装体（１５’、１５”）の上方領域において前記側面（３、４）に押し付けられる耳部（１４）を特徴とする、請求項１９〜２２の何れか一項に記載の包装体（１５’、１５”）。
【請求項２４】
複合材料製の包装スリーブ（１０’、１０”）から包装体（１５’、１５”）を製造する方法であって、
ａ）請求項１〜１８の何れか一項に記載の包装スリーブ（１０’、１０”）を供給するステップと、
ｂ）側面（３、４）、前面（５）、および裏面（６）の間の折り目線（２’）に沿って前記包装スリーブ（１０’、１０”）を展開するステップと、
ｃ）前記包装スリーブ（１０’、１０”）の前記２つの側面（３、４）を２つの二次折り目線（１８）に沿って折り返すステップと、
ｄ）前記包装スリーブ（１０’、１０”）を底面（８）の領域において封着するステップと、
を含む方法において、
ステップｄ）は、ステップｂ）およびステップｃ）の両方の後に実施されることを特徴とする、方法。
【請求項２５】
前記ステップｂ）およびステップｃ）は同時に実施されることを特徴とする、請求項２４に記載の方法。
【請求項２６】
折り返された後、前記二次折り目線（１８）に隣接する前記包装体（１５、１５’）の側面（３、４）の部分面域（３Ａ、３Ｂ、４Ａ、４Ｂ）は、何れの場合も、互いに対して１６０°と２００°の間、特に１７０°と１９０°の間、の角度範囲内にあることを特徴とする、請求項２４または２５に記載の方法。
【国際調査報告】
2019510702.tif 000029
2019510702.tif 000030
2019510702.tif 000031
2019510702.tif 000032
2019510702.tif 000033
2019510702.tif 000034
2019510702.tif 000035
2019510702.tif 000036
2019510702.tif 000037
2019510702.tif 000038
2019510702.tif 000039
2019510702.tif 000040